(57)【特許請求の範囲】
【請求項１】
連続用紙を交互に折り畳んだ折り畳み用紙に各種情報を出力する携帯情報端末装置において、
前記折り畳み用紙を繰り出し保持する用紙保持部材を有するプリンタ部と、
前記プリンタ部に供給される前記折り畳み用紙を、その幅方向が前記用紙保持部材の長手方向と平行となるように湾曲させて収納し、収納状態での前記折り畳み用紙の幅方向と直交方向の折り返し端部同士を、用紙搬送方向の前後に所定距離離間してかつ装置本体の基準底面からの高さが前記用紙保持部材近傍の給紙口よりも高い位置となるように収納する用紙収納部と、を有し、
前記用紙収納部は、前記基準底面からの高さが低い方の前記折り返し端部に当接する第１の折り返し端当接部を有し、
前記第１の折り返し端当接部は、前記低い方の折り返し端部の位置で、前記給紙口に向かう前記折り畳み用紙をいったん持ち上げてかつ前記給紙口へ向かう方向と逆の方向に後退させ、
前記用紙収納部は、前記用紙の前記低い方の折り返し端部側を上に持ち上げるように前記用紙を湾曲させて収納し、
前記第１の折り返し端当接部は、前記プリンタ部側に向かって斜め上方に伸びて、前記上に持ち上げるように収納される前記低い方の折り返し端部を当接させる傾斜片を有する、
ことを特徴とする携帯情報端末装置。
【請求項２】
前記折り返し端部同士の用紙搬送方向の離間距離をＸとし、前記折り畳み用紙の装着前の厚みをＴとしたとき、
Ｘ≒Ｔ
であることを特徴とする請求項１に記載の携帯情報端末装置。
【請求項３】
前記用紙収納部は、前記基準底面からの高さが高い方の前記折り返し端部に当接する第２の折り返し端当接部を有し、
前記第２の折り返し端当接部は、前記高い方の折り返し端部の位置で、前記給紙口に向かう前記折り畳み用紙をいったん前記給紙口へ向かう方向と逆の方向に後退させる
ことを特徴とする請求項１または２に記載の携帯情報端末装置。
【請求項４】
前記折り返し端部同士を前記高さ方向に所定距離離間して配置し、
このときの離間距離をＨとし、前記折り畳み用紙の装着前の厚みをＴとしたとき、
０≦Ｈ≦Ｔ
であることを特徴とする請求項１〜３のいずれか１項に記載の携帯情報端末装置。
【発明の詳細な説明】
【技術分野】
【０００１】
本発明は、ガス、水道、電力量等の使用量を示す積算メータの値を定期的に検針する際に、その結果を現場で出力する機能を備えた携帯情報端末装置に関する。
【背景技術】
【０００２】
検品端末としての携帯情報端末装置は、例えば、ガス、水道、電力量等の検針時に携帯されて、公共料金情報や商品販売情報を用紙に印刷可能な装置として公知である。そして、ガス等の使用量の結果を現場で記録媒体にプリントし、プリントした記録媒体を切り離して使用者に直接手渡しすることができる。
【０００３】
この種の携帯情報端末装置として、例えば、特許文献１には、用紙収納部を装置本体の複数のポジションに装着できるように構成し、この用紙収納部に折り畳み用紙（蛇腹用紙）を２つ折りにして収納する技術が開示されている。
【０００４】
また、特許文献２には、装置本体に連結された用紙収納部に、折り畳み用紙（蛇腹用紙）を、横置き円筒状の収納ケースの収納空間に丸めて収納し、この収納した用紙を繰り出す際に、収納空間の中心に設けられた筒状案内部材で用紙をガイドしてプリンタ側に引き出すようにした技術が開示されている。
【先行技術文献】
【特許文献】
【０００５】
【特許文献１】特開２００１−３１６０００号公報
【特許文献２】実公平７−２９０８１号公報
【発明の概要】
【発明が解決しようとする課題】
【０００６】
しかしながら、特許文献１では、２つ折りにした折り畳み用紙（蛇腹用紙）の用紙端部が接近しているため、一方の用紙端部から用紙を繰り出すときに、他方の用紙端部に干渉して用紙の搬送負荷が大きくなるおそれがある。この搬送負荷が大きいと、印字不良等の不具合が発生するおそれがある。
【０００７】
また、特許文献２では、丸めて収納された折り畳み用紙の一方（下側）の用紙端部は、筒状案内部材と収納ケースとの間に挟み込まれるように収納されているため、一方（下側）の用紙端部から用紙を繰り出すときは、ミシン目が筒状案内部材等に干渉して搬送負荷が大きくなってしまう。
【０００８】
この搬送負荷が大きいと、前記と同様に印字不良等のトラブルが発生しやすい。一方、これを解消するには、例えば内蔵する電池容量を大きくして用紙送り用のモータ電圧を高くすることが考えられるが、そうすると電池が大型化する。
【０００９】
さらに、電池が大型化すると装置も大型化するため、持ち運びが簡便な携帯情報端末装置に課されている課題である装置の小型化を図ることができない。
本発明は、斯かる課題を解決するためになされたもので、装置の小型化を図りつつ用紙搬送負荷の低減と二重送りを防止して用紙搬送を安定的に行うことのできる携帯情報端末装置を提供することを目的とする。
【課題を解決するための手段】
【００１０】
本発明は、連続用紙を交互に折り畳んだ折り畳み用紙に各種情報を出力する携帯情報端末装置において、
前記折り畳み用紙を繰り出し保持する用紙保持部材を有するプリンタ部と、
前記プリンタ部に供給される前記折り畳み用紙を、その幅方向が前記用紙保持部材の長手方向と平行となるように湾曲させて収納し、収納状態での前記折り畳み用紙の幅方向と直交方向の折り返し端部同士を、用紙搬送方向の前後に所定距離離間してかつ装置本体の基準底面からの高さが前記用紙保持部材近傍の給紙口よりも高い位置となるように収納する用紙収納部と、を有し、
前記用紙収納部は、前記基準底面からの高さが低い方の前記折り返し端部に当接する第１の折り返し端当接部を有し、
前記第１の折り返し端当接部は、前記低い方の折り返し端部の位置で、前記給紙口に向かう前記折り畳み用紙をいったん持ち上げてかつ前記給紙口へ向かう方向と逆の方向に後退させ、
前記用紙収納部は、前記用紙の前記低い方の折り返し端部側を上に持ち上げるように前記用紙を湾曲させて収納し、
前記第１の折り返し端当接部は、前記プリンタ部側に向かって斜め上方に伸びて、前記上に持ち上げるように収納される前記低い方の折り返し端部を当接させる傾斜片を有する。
【００１１】
また、本発明は、上記の携帯情報端末装置において、前記折り返し端部同士の用紙搬送方向の離間距離をＸとし、前記折り畳み用紙の装着前の厚みをＴとしたとき、
Ｘ≒Ｔ
である。
【００１２】
また、本発明は、上記の携帯情報端末装置において、前記用紙収納部は、前記基準底面からの高さが高い方の前記折り返し端部に当接する第２の折り返し端当接部を有し、前記第２の折り返し端当接部は、前記高い方の折り返し端部の位置で、前記給紙口に向かう前記折り畳み用紙をいったん前記給紙口へ向かう方向と逆の方向に後退させる。
また、本発明は、上記の携帯情報端末装置において、前記折り返し端部同士を前記高さ方向に所定距離離間して配置し、
このときの離間距離をＨとし、前記折り畳み用紙の装着前の積層厚みをＴとしたとき、
０≦Ｈ≦Ｔ
である。
【発明の効果】
【００１３】
本発明によれば、装置の小型化を図りつつ用紙搬送負荷の低減と二重送りを防止して用紙搬送を安定的に行うことができる。
【図面の簡単な説明】
【００１４】
【図１】携帯情報端末装置の外観を示す図である。
【図２】同上の平面図である。
【図３】図２のＩＩＩ−ＩＩＩ線に沿う断面図である。
【図４】折り畳み用紙を繰り出すときの用紙の移動軌跡の説明図である。
【図５】折り畳み用紙の折り返し端部同士を接近させて収納したときの従来例の断面図である。
【発明を実施するための形態】
【００１５】
以下、図面に基づき本発明の実施の形態を説明する。
［第１の実施の形態］
図１は、携帯情報端末装置の外観を示す図、図２は、その平面図、図３は、図２のＩＩＩ−ＩＩＩ線に沿う断面図である。
【００１６】
この携帯情報端末装置１０は、印字部としてのプリンタ部２４を備えた装置本体１２と、この装置本体１２に一体固定された用紙収納部１４とを備えている。装置本体１２は、全体として平面視縦長矩形状に形成されている。用紙収納部１４には、印字媒体としての連続用紙を交互に折り畳んだ折り畳み用紙１６が収納されている。
【００１７】
装置本体１２には、表示手段としての液晶ディスプレー１８、入力手段としてのキーボード２０、各種制御を行うことが可能な制御部（図示せず）、電池収納部２２に収納された電池（図示せず）、及びプリンタ部２４が内蔵されている。電池収納部２２には、電池の着脱時に開閉する開閉蓋２６が設けられている。この電池が、装置を駆動する駆動源となっている。
【００１８】
プリンタ部２４には、折り畳み用紙１６を繰り出し保持する用紙保持部材としてのプラテン２８と、折り畳み用紙１６に熱で印字する記録ヘッド３０（サーマルヘッド）とを有している。本実施の形態では、プラテン２８は、用紙収納部１４の上部カバー（後述する）３６に取付けられている。このように、上部カバー３６にプラテン２８を備えたことで、上部カバー３６の閉操作によって用紙セットが完了する構成となっている。なお、このプリンタ部２４の詳細な構成については、後述する。
【００１９】
なお、説明の便宜上、縦長の携帯情報端末装置１０の長手方向に沿って用紙収納部１４側を前方と呼び、反対のキーボード２０側を後方と呼ぶことがある。
用紙収納部１４は、プリンタ部２４の前方に隣接して装置本体１２に一体的に取付けられている。折り畳み用紙１６は、この用紙収納部１４から繰り出されてプリンタ部２４に供給されるようになっている。なお、この用紙収納部１４を、装置本体１２に一体的に取付けたことにより、プリンタ部２４の周辺の容積は大きくなるが、その他の部分の外形寸法は変化しない。このため、装置本体１２を片手で持つ場合の把握容易性は維持されている。
【００２０】
次に、図３において、用紙収納部１４は、内部に折り畳み用紙１６が収容される用紙収納空間３１が形成された中空構造体をなしている。この用紙収納部１４は、プリンタ部２４の下部から前方に延設されたロール紙受け部３２と、このロール紙受け部３２のさらに前方に延設された下部カバー３４と、これらロール紙受け部３２及び下部カバー３４を上方から覆う上部カバー３６とを有している。
【００２１】
なお、このロール紙受け部３２は、従来の装置本体１２に本実施の形態の用紙収納部１４を取付けたことから存置されているものである。
ロール紙受け部３２と下部カバー３４とは、ビス等の適宜の固定手段により一体的に固定されている。上部カバー３６には、一端側（装置の前端側）に軸３８が保持されていて、他端は自由端となっている。この上部カバー３６は、軸３８を中心として前後に回動可能となっている。
【００２２】
上部カバー３６の自由端側には、折り畳み用紙１６を担持する円柱状のプラテン２８が回転可能に取付けられている。このプラテン２８は、ゴム等の弾性体からなっている。このプラテン２８は、前述した軸３８の軸心と略平行に配置されている。
【００２３】
また、折り畳み用紙１６は、幅方向と直交方向の折り返し端部（ミシン目部分）で交互に折り畳まれた複数の用紙が積層されて構成されている。この折り畳み用紙１６は、例えば、折り返し端部で切り離し後の寸法規格がユーザーごとに定められていて、一例として幅（８０ｍｍ）×長さ（２００ｍｍ）の用紙が、折り返し端部を境として交互に折り畳まれている。
【００２４】
なお、図１及び図２に示すように、装置本体１２の平面視左右の両側面には、上部カバー３６が不用意に開放するのを防止するためのロック釦４８が設けられている。また、上部カバー３６には、開閉操作用の操作片４６が設けられている。
【００２５】
また、上部カバー３６を閉止した状態のカバー先端部（自由端側）と装置本体１２との間には、若干の隙間を有する排紙口５０が形成されている。この排紙口５０から、折り畳み用紙１６が繰り出されて排出される。
【００２６】
なお、下部カバー３４と上部カバー３６との少なくとも一方は、透明な部材で構成されていることが好ましい。本実施の形態では、上部カバー３６が、例えば透明なアクリル樹脂等で構成されている。
【００２７】
これにより、折り畳み用紙１６を湾曲させて用紙収納部１４に収納した後の用紙送り状態を、外部から容易に視認することができる。また、折り畳み用紙１６の残量等を視認することもできる。その他、用紙ジャム等のような用紙に関するトラブルを直ちに発見することができる。なお、折り畳み用紙１６を湾曲させて収納することで、元に戻ろうとする用紙の反発力により用紙収納部１４内での位置ずれは、ある程度規制されている。
【００２８】
プリンタ部２４は、前述したプラテン２８と、上部カバー３６の閉止状態でこのプラテン２８に対向配置された記録ヘッド３０と、印字後の用紙を切断するカッタ刃５２と、を有している。
【００２９】
記録ヘッド３０は、不図示の弾性体による付勢力でプラテン２８側に常時付勢されている。そして、この記録ヘッド３０により、折り畳み用紙１６に各種情報が印字される。なお、上部カバー３６を閉じた状態では、プラテン２８は記録ヘッド３０に所定の弾性付勢力で当接された状態で係合保持されている。また、カバー開時には、プラテン２８を弾性力に抗して離脱させることによって、用紙収納空間３１を開放することができる。
【００３０】
さらに、前述したように、記録ヘッド３０としては、熱により折り畳み用紙１６に印字可能なサーマルヘッドが用いられている。これにより、ノンインパクト方式で折り畳み用紙１６に必要な情報が印字される。ただし、熱印字方式に限らず、例えばワイヤドット等のインパクト方式による印字手段を用いてもよい。
【００３１】
用紙収納部１４に収納された折り畳み用紙１６は、プラテン２８と記録ヘッド３０との間に挟持されて外方に引き出される（繰り出される）。この折り畳み用紙１６には、プラテン２８と記録ヘッド３０とのニップ位置で記録ヘッド３０により各種情報が印字される。排紙口５０には、折り畳み用紙１６を折り返し端部（ミシン目部分）でカットするためのカッタ刃５２が設けられている。また、プリンタ部２４には、記録ヘッド３０を挟むようにプラテン２８と対向する側に、プラテン２８を回転させるモータ５４が配置されている。
【００３２】
用紙収納部１４には、折り畳み用紙１６が上部カバー３６の内壁に沿って側面視略Ｊ字状に湾曲された状態で収納される。この折り畳み用紙１６は、収納状態において、幅方向（図３の表裏面方向）と直交方向（図３の矢印Ｌ−Ｌ方向）の一方の折り返し端部１６ａと他方の折り返し端部１６ｂとを有している。
【００３３】
なお、折り返し端部１６ａ、１６ｂの先端が側面から見て鋭角になっているのは、折り畳み用紙１６を丸めた場合にも、用紙幅方向と直交方向の長さは変わらないからである。
本実施の形態では、一方の折り返し端部１６ａ及び他方の折り返し端部１６ｂを、用紙搬送方向の前後に所定距離（Ｘ）離間して、かつ装置本体１２の裏面側である基準底面（Ａ面）からの高さがプラテン２８の近傍の給紙口４４よりも高い位置となるように収納している。
【００３４】
すなわち、一方の折り返し端部１６ａを用紙搬送方向の前方に、また、他方の折り返し端部１６ｂを用紙搬送方向の後方に収納している（図３の矢印方向（前方、後方）参照）。
【００３５】
これは、若しも、折り返し端部１６ａ、１６ｂの先端同士が用紙搬送方向に近接していると、用紙繰り出し時に用紙同士が干渉して用紙搬送負荷が大きくなり、また、例えば折り畳み用紙１６の一方の折り返し端部１６ａが給紙口４４に近接していると、用紙繰り出し時に用紙の二重送りが生じるおそれがあるためである。
【００３６】
このために、本実施の形態では、用紙収納部１４は、装置本体１２の基準底面（Ａ面）からの高さが低い方の折り返し端部１６ａに当接する第１の折り返し端当接部としての下端当接部４０と、基準底面（Ａ面）からの高さが高い方の折り返し端部１６ｂに当接する第２の折り返し端当接部としての上端当接部４２と、を有している。
【００３７】
なお、本実施の形態では、下端当接部４０と上端当接部４２との両方を備えた場合について説明するが、これに限らず、少なくとも下端当接部４０を備えていればよい。
下端当接部４０は、下部カバー３４に一体的に取付けられている。すなわち、下部カバー３４は、一端（装置の前方側）が軸３８に係合する係合片３４ａと、他端がロール紙受け部３２との境界で起立する起立片３４ｂと、を有している。
【００３８】
そして、下端当接部４０は、この起立片３４ｂの上端部から直交方向に後方に延びる水平片４０ａと、この水平片４０ａの先端部からロール紙収納空間内を斜め上方に延びる傾斜片４０ｂと、を有している。傾斜片４０ｂは、上方に行くに従い後方（プリンタ部２４側）に傾斜している。この傾斜片４０ｂには、折り畳み用紙１６の一方の折り返し端部１６ａが当接するようになっている。
【００３９】
さらに、下端当接部４０の上部には、リブ部５６が設けられている。このリブ部５６は、折り畳み用紙１６の一方の折り返し端部１６ａを上方から覆うように配置されている。このリブ部５６は、プラテン２８の長手方向と平行に所定間隔で複数配置されている。
【００４０】
次に、上端当接部４２は、上部カバー３６の自由端側の内側に形成されている。この上端当接部４２は、プラテン２８の長手方向と平行に所定間隔で複数配置されている。この上端当接部４２には、折り畳み用紙１６の他方の折り返し端部１６ｂが当接する当接面４２ａを有している。この当接面４２ａは、用紙収納空間３１内に突出するように形成されている。
【００４１】
また、上端当接部４２の下部には、これと一体的に用紙ガイド４３が連接されている。この用紙ガイド４３は、折り畳み用紙１６の一方の折り返し端部１６ａ及び他方の折り返し端部１６ｂから繰り出された用紙を、プリンタ部２４の給紙口４４にスムーズに導くための役目をなしている。
【００４２】
本実施の形態では、折り畳み用紙１６の一方の折り返し端部１６ａと他方の折り返し端部１６ｂとは、夫々の先端の用紙搬送方向の離間距離をＸとし、折り畳み用紙１６の用紙収納部１４への装着前の厚み（積層厚み）をＴ（例えば１０ｍｍ）としたとき、
Ｘ≒Ｔ
となるように設定されている。
【００４３】
このように、離間距離Ｘを適度に規制することで装置の小型化を図ることができる。
また、折り畳み用紙１６の一方の折り返し端部１６ａと他方の折り返し端部１６ｂとは、夫々の先端の高さ方向の離間距離をＨとし、折り畳み用紙１６の用紙収納部１４への装着前の厚み（積層厚み）をＴ（例えば１０ｍｍ）としたとき、
０≦Ｈ≦Ｔ
に設定されている。
【００４４】
このように、用紙搬送方向の離間距離Ｘや高さ方向の離間距離Ｈを規制することで、装置の小型化を図ることができる。
本実施の形態では、折り畳み用紙１６の一方の折り返し端部１６ａの先端は、他方の折り返し端部１６ｂの先端よりも低い位置関係にある。若しも、一方の折り返し端部１６ａの先端が他方の折り返し端部１６ｂの先端よりも高くなると、用紙繰り出し時に用紙同士が干渉して繰り出し負荷が大きくなるおそれがあるためである。
【００４５】
また、本実施の形態では、装置本体１２の基準底面（Ａ面）から給紙口４４までの高さ方向の離間距離がＨ０、給紙口４４から一方の折り返し端部１６ａの先端までの高さ方向の離間距離がＨ１、給紙口４４から他方の折り返し端部１６ｂの先端までの高さ方向の離間距離がＨ２となっている。
【００４６】
こうして、本実施の形態では、下端当接部４０の傾斜片４０ｂの先端からプリンタ部２４の給紙口４４までの距離（直線距離）は所定長Ｒ（破線）に設定されている。この所定長Ｒは、傾斜片４０ｂの先端から給紙口４４までの用紙搬送方向の距離をＸ１とし、傾斜片４０ｂの先端から給紙口４４までの高さ方向の距離をＨ１とすると、Ｒ＝√（Ｘ１２＋Ｈ１２）となっている。
【００４７】
この所定長Ｒの値は、明らかに用紙搬送方向の距離Ｘ１よりも大きい。こうして、傾斜片４０ｂの先端から給紙口４４までの距離を長くとることができる。なお、本実施の形態では、傾斜片４０ｂの先端から給紙口４４までの距離（直線距離）は、上端当接部４２の先端から給紙口４４までの距離（直線距離）と略等しくなっている。ただし、必ずしも略等しくする必要はない。
【００４８】
本実施の形態によれば、前述した所定長Ｒを長く設定することにより、また、折り畳み用紙１６の一方の折り返し端部１６ａを給紙口４４よりも高い位置となるように収納することで用紙の二重送りを防止することができる。
【００４９】
また、本実施の形態によれば、収納状態での折り畳み用紙１６の一方の折り返し端部１６ａと他方の折り返し端部１６ｂ同士を、用紙搬送方向の前後に所定距離（Ｘ）離間してかつ装置本体１２の基準底面（Ａ面）からの高さが給紙口４４よりも高い位置となるように収納したので、用紙搬送負荷の低減と二重送りの防止を図ることができる。
【００５０】
図４は、収納した折り畳み用紙１６を繰り出すときの用紙の移動軌跡の説明図である。
図４に示すように、折り返し端部１６ａ、１６ｂ同士を用紙搬送方向の前後に離間（Ｘ）したので、折り畳み用紙１６の一方の折り返し端部１６ａから用紙Ｓ１を繰り出すときは（破線Ｓ１参照）、折り畳み用紙１６の他方の折り返し端部１６ｂ側の用紙Ｓ２と接触することはない。
【００５１】
同様に、折り畳み用紙１６の他方の折り返し端部１６ｂから用紙Ｓ２を繰り出すときは（破線Ｓ２参照）、折り畳み用紙１６の一方の折り返し端部１６ａ側の用紙Ｓ１と接触することはない。これにより、用紙搬送負荷の低減を図ることができる。
【００５２】
さらに、本実施の形態では、折り畳み用紙１６の折り返し端部１６ａ、１６ｂ同士を、装置本体１２の基準底面（Ａ面）からの高さがプラテン２８の近傍の給紙口４４よりも高い位置となるように収納したので、例えば折り畳み用紙１６の一方の折り返し端部１６ａから用紙Ｓ１を繰り出すときは、用紙Ｓ１の折り返し端部（ミシン目部分）を用紙搬送方向（図の左右方向）と直交する方向（図の上方）に若干持ち上げながら給紙口４４に向けて繰り出すことになる。
【００５３】
このため、用紙搬送負荷も略一定であり、また、２枚目の用紙が一緒に送り出されるという二重送りを防止することができる。
すなわち、用紙Ｓ１の折り返し端部（ミシン目部分）は、下端当接部４０の上部から延出されたリブ部５６の内側面を摺動しながら一旦は反プラテン２８側に後退し、次いで、リブ部５６を乗り越えるように用紙搬送方向に搬送されるので、二重送りが防止される。
【００５４】
同様に、折り畳み用紙１６の他方の折り返し端部１６ｂから用紙Ｓ２を繰り出すときは、用紙Ｓ２の折り返し端部（ミシン目部分）を一旦は反プラテン２８側に後退させるようにしてから、給紙口４４に向けて繰り出す。よって、この場合も二重送りが防止される。
【００５５】
参考までに、二重送りに関する本実施の形態の効果についての実験結果を説明する。
本実施の形態では、図３に示したように、折り畳み用紙１６の一方の折り返し端部１６ａと他方の折り返し端部１６ｂとを用紙搬送方向にＸだけ離間し、かつ折り返し端部１６ａ、１６ｂを給紙口４４よりも上方に位置させている。
【００５６】
これに対し、図５は、折り畳み用紙１６の折り返し端部１６ａ、１６ｂを用紙搬送方向に接近させて収納したとき（従来例）の用紙収納部１４の断面図である。なお、図５において、本実施の形態と同一又は相当する部材には同一の符号を付して、その説明を省略する。
【００５７】
＜二重送り発生枚数の実験結果＞
図３の場合（本実施の形態）    ０枚／２００枚
すなわち、２００枚の用紙束で二重送りは１枚もなかった。
図５の場合（従来例）        １０枚／２００枚
すなわち、２００枚の用紙束で二重送りは１０枚発生した。
以上から、本実施の形態によれば、折り畳み用紙１６の二重送りを確実に防止できることが確認できた。
【００５８】
こうして、本実施の形態によれば、収納状態での折り畳み用紙１６の一方の折り返し端部１６ａと他方の折り返し端部１６ｂ同士を、用紙搬送方向の前後に所定距離（Ｘ）離間してかつ装置本体１２の基準底面（Ａ面）からの高さが給紙口４４よりも高い位置となるように収納したので、折り畳み用紙１６の用紙搬送負荷の低減と二重送りの防止を図ることができる。
【００５９】
このとき、折り返し端部１６ａ、１６ｂ同士の用紙搬送方向の離間距離Ｘを、折り畳み用紙１６の装着前の厚みＴ（例えば１０ｍｍ）と等しい値としたので、大きなスペースもとらず、装置の小型化を図ることができる。
【００６０】
次に、本実施の形態の作用について簡単に説明する。
まず、用紙収納部１４に折り畳み用紙１６をセットするには、例えば装置本体１２を左手に持ち、右手でロック釦４８（図１参照）をアンロック側にスライド操作する。次に、右手の親指を上部カバー３６の操作片４６に引っ掛けて上部カバー３６を、前方の軸３８を中心として上方に開放する。
【００６１】
次に、用紙収納部１４の用紙収納空間３１に折り畳み用紙１６をセットする。
この場合、用紙収納部１４内に折り畳み用紙１６を一端側から挿入する。このとき、折り畳み用紙１６の一方の折り返し端部１６ａが下端当接部４０の傾斜片４０ｂに当接したことを確認したら、次に他方の折り返し端部１６ｂが上端当接部４２に当接したことを確認する。次いで、折り畳み用紙１６を排紙口５０の付近まで引き出して上部カバー３６を閉じる。
【００６２】
これにより、折り畳み用紙１６の繰り出し側はプラテン２８と記録ヘッド３０との間に挟持された状態となり、用紙セットが完了する。
次に、携帯情報端末装置１０の具体的な使用方法について簡単に説明する。
【００６３】
折り畳み用紙１６には、例えば水道使用量の場合、検針員が顧客番号、検針日、今回指針、前回指針、使用水量、請求金額等の情報をキーボード２０から入力する。そして、その入力情報を折り畳み用紙１６に印字する。なお、顧客に応じて口座振替済領収書にも必要事項が印字されるようになっている。
【００６４】
また、これらの入力情報は、例えば内蔵された記憶装置に記憶されるとともに、必要に応じて無線通信によりホストコンピュータに送信することもできる。
なお、折り畳み用紙１６には個人情報が記載されているため、個人情報を保護する観点から通常は用紙表面に目隠し用紙が貼付されている。そして、この目隠し用紙の上から記録ヘッド３０により折り畳み用紙１６に必要情報が印字される。
【００６５】
印字動作を行うと、プリンタ部２４のモータ５４によりギヤ（図示せず）を介してプラテン２８が回転駆動される。このプラテン２８の回転により、折り畳み用紙１６が所定量ずつ改行されて繰り出される。
【００６６】
このとき、用紙収納部１４には、折り畳み用紙１６の一方の折り返し端部１６ａが当接する下端当接部４０が形成されているので、用紙の搬送負荷を軽減しつつ、繰り出される折り畳み用紙１６の二重送りを防止することができる。
【００６７】
なお、折り畳み用紙１６の裏面には、１枚ごとに位置決め用のマークが付されている。このマークは、不図示のマーク検出センサにより検出され、その検出信号が信号線（図示せず）を通って内蔵した制御部（図示せず）に送られる。この検出信号に基づき、プリンタ部２４による印字動作が制御される。
【００６８】
印字が終了した折り畳み用紙１６は、カッタ刃５２により折り返し端部（ミシン目）で切断されて顧客に郵送されるか、又は直接顧客に手渡される。
なお、本発明を、例えばＨＨＴ（Ｈａｎｄ  Ｈｅｌｄ  Ｔｅｒｍｉｎａｌ）のみでなく、広く携帯情報端末装置（Ｐｅｒｓｏｎａｌ  Ｄｉｇｉｔａｌ  Ａｓｓｉｓｔａｎｔｓ）に適用することができる。
【符号の説明】
【００６９】
１０      携帯情報端末装置
１２      装置本体
１４      用紙収納部
１６      折り畳み用紙
１６ａ    一方の折り返し端部
１６ｂ    他方の折り返し端部
１８      液晶ディスプレー
２０      キーボード
２２      電池収納部
２４      プリンタ部
２６      開閉蓋
２８      プラテン
３０      記録ヘッド
３１      用紙収納空間
３２      ロール紙受け部
３４      下部カバー
３４ａ    係合片
３４ｂ    起立片
３６      上部カバー
３８      軸
４０      下端当接部
４０ａ    水平片
４０ｂ    傾斜片
４２      上端当接部
４３      用紙ガイド
４４      給紙口
４６      操作片
４８      ロック釦
５０      排紙口
５２      カッタ刃
５４      モータ
５６      リブ部
Ａ面      基準底面
Ｘ        折り返し端部同士の用紙搬送方向の離間距離
Ｘ１      傾斜片の先端から給紙口までの用紙搬送方向の距離
Ｈ        高さ方向の離間距離
【図１】
0005421016.tif 000002
【図２】
0005421016.tif 000003
【図３】
0005421016.tif 000004
【図４】
0005421016.tif 000005
【図５】
0005421016.tif 000006